(57)【特許請求の範囲】
【請求項１】
少なくとも１つ以上の放送チャンネルを含む放送信号を受信するチューナ部と、
前記チューナ部からの出力信号を復調するとともに、Ｃ／Ｎ値の検出を行う復調部と、
前記チューナ部に入力する前記放送信号を、増幅または減衰する信号増幅減衰部と、
前記信号増幅減衰部の設定を、前記増幅に設定した増幅状態または前記減衰に設定した減衰状態に設定切り替えを行う切り替え制御部とを、備えており、
前記切り替え制御部は、
前記復調部から取得した前記Ｃ／Ｎ値と、前記信号増幅減衰部の前記増幅状態または前記減衰状態に基づいて、受信している放送チャンネルの電界強度範囲を判別し、当該判別した電界強度範囲に基づいて、前記信号増幅減衰部に対して前記設定切り替えを行い、
前記切り替え制御部は、
予め設定された基準Ｃ／Ｎ値を保持しており、
前記信号増幅減衰部が前記減衰状態であるときに、前記復調部から取得した前記Ｃ／Ｎ値が前記基準Ｃ／Ｎ値以上であり、かつ、前記信号増幅減衰部が前記増幅状態であるときに、前記復調部から取得した前記Ｃ／Ｎ値が前記基準Ｃ／Ｎ値未満である場合には、現在受信している前記放送チャンネルは受信可能な強電界範囲にあると判別し、
前記信号増幅減衰部が前記減衰状態であるときに、前記復調部から取得した前記Ｃ／Ｎ値が前記基準Ｃ／Ｎ値未満であり、かつ、前記信号増幅減衰部が前記増幅状態であるときに、前記復調部から取得した前記Ｃ／Ｎ値が前記基準Ｃ／Ｎ値以上である場合には、現在受信している前記放送チャンネルは受信可能な弱電界範囲にあると判別し、
前記信号増幅減衰部が前記減衰状態であるときに、前記復調部から取得した前記Ｃ／Ｎ値が前記基準Ｃ／Ｎ値以上であり、かつ、前記信号増幅減衰部を前記増幅状態であるときに、前記復調部から取得した前記Ｃ／Ｎ値が前記基準Ｃ／Ｎ値以上である場合には、現在受信している前記放送チャンネルは受信可能な中電界範囲にあると判別し、
前記信号増幅減衰部が前記減衰状態であるときに、前記復調部から取得した前記Ｃ／Ｎ値が前記基準Ｃ／Ｎ値未満であり、かつ、前記信号増幅減衰部が前記増幅状態であるときに、前記復調部から取得した前記Ｃ／Ｎ値が前記基準Ｃ／Ｎ値未満である場合には、現在受信している前記放送チャンネルは受信困難な電界範囲にあると判別する、
ことを特徴とする放送受信装置。
【請求項２】
前記切り替え制御部は、
前記復調部から取得する前記Ｃ／Ｎ値の標準的な変動幅Ｂを保持しており、
前記電界強度範囲の判別結果が前記受信可能な強電界範囲であり、かつ、前記増幅状態のときに前記復調部から取得した前記Ｃ／Ｎ値と、前記減衰状態のときに前記復調部から取得した前記Ｃ／Ｎ値との差が、前記変動幅Ｂを超える場合には、現在受信している前記放送チャンネルは、前記減衰状態で受信可能になる強電界範囲のチャンネルと判別し、
前記電界強度範囲の判別結果が前記受信可能な弱電界範囲であり、かつ、前記増幅状態のときに前記復調部から取得した前記Ｃ／Ｎ値と、前記減衰状態のときに前記復調部から取得した前記Ｃ／Ｎ値との差が、前記変動幅Ｂを超える場合には、現在受信している前記放送チャンネルは、前記増幅状態で受信可能になる弱電界範囲のチャンネルと判別し、
前記減衰状態で受信可能になる前記強電界範囲のチャンネル、前記増幅状態で受信可能になる前記弱電界範囲のチャンネル、または、それ以外のチャンネルに基づいて、前記信号増幅減衰部に対して前記設定切り換えを行う、
ことを特徴とする請求項１に記載の放送受信装置。
【請求項３】
前記切り替え制御部は、
前記電界強度範囲を、前記受信可能な強電界範囲、前記受信可能な中電界範囲、前記受信可能な弱電界範囲および前記受信困難な電界範囲の何れかの判別を行い、
前記受信可能な強電界範囲にあると判別した場合にのみ、前記信号増幅減衰部を前記減衰状態に切り替え、
前記受信可能な強電界範囲以外であると判別した場合には、前記信号増幅減衰部を前記増幅状態に切り替える、
ことを特徴とする請求項１に記載の放送受信装置。
【請求項４】
前記切り替え制御部は、
前記減衰状態で受信可能になる前記強電界範囲のチャンネル、前記増幅状態で受信可能になる前記弱電界範囲のチャンネルおよびそれ以外の何れかの判別を行い、
前記減衰状態で受信可能になる前記強電界範囲のチャンネルと判別した場合に、前記信号増幅減衰部を前記減衰状態に切り替え、
前記増幅状態で受信可能になる前記弱電界範囲のチャンネルと判別した場合には、前記信号増幅減衰部を前記増幅状態に切り替える、
ことを特徴とする請求項２に記載の放送受信装置。
【請求項５】
前記切り替え制御部は、
前記電界強度範囲を、受信可能な強電界範囲および受信可能な弱電界範囲の何れかの判別を少なくとも行い、
受信可能な弱電界範囲と判別された前記放送チャンネルのチャンネル数である第一のチャンネル数と、受信可能な強電界範囲と判別された前記放送チャンネルのチャンネル数である第二のチャンネル数とを、各々カウントし、
前記第二のチャンネル数が前記第一のチャンネル数以上であるとき、前記信号増幅減衰部を前記減衰状態に切り替え、
前記第二のチャンネル数が前記第一のチャンネル数未満であるとき、前記信号増幅減衰部を前記増幅状態に切り替える、
ことを特徴とする請求項１に記載の放送受信装置。
【請求項６】
前記切り替え制御部は、
前記放送チャンネルを、前記減衰状態で受信可能になる前記強電界範囲のチャンネル、前記増幅状態で受信可能になる前記弱電界範囲のチャンネルおよびそれ以外のチャンネルの何れかの判別を行い、
前記増幅状態で受信可能になる前記弱電界範囲のチャンネルと判別されたチャンネル数である第一のチャンネル数と、前記減衰状態で受信可能になる前記強電界範囲のチャンネルと判別されたチャンネル数である第二のチャンネル数とを、各々カウントし、
前記第二のチャンネル数が前記第一のチャンネル数以上であるとき、前記信号増幅減衰部を前記減衰状態に切り替え、
前記第二のチャンネル数が前記第一のチャンネル数未満であるとき、前記信号増幅減衰部を前記増幅状態に切り替える、
ことを特徴とする請求項２に記載の放送受信装置。
【発明の詳細な説明】
【技術分野】
【０００１】
本発明は、地上デジタル放送などの放送の受信を行う放送受信装置に係るものであり、広い範囲の放送波電界に対して良好な放送受信を行うことが可能な放送受信装置に関する。
【背景技術】
【０００２】
従来の放送受信装置としては、アンテナからの放送波をチューナに入力し、チューナ内部または外部に設けたＡＧＣ（Ａｕｔｏｍａｔｉｃ  Ｇａｉｎ  Ｃｏｎｔｒｏｌ）回路でゲイン制御を行うことが一般的である。ＡＧＣのゲイン制御範囲を超える弱電界または強電界の放送波を受信する場合は、アンテナとチューナとの間に外付けのアッテネータ（減衰器、以下ＡＴＴとする）またはブースタを設置し、受信信号電力の調整が行われる。また、放送受信装置のアンテナ入力端子とチューナとの間に、ＡＴＴやアンプ（増幅器、以下Ａｍｐとする）およびこれらの切り替え回路を内蔵し、手動設定により当該切り替え回路の切り替えができる放送受信装置も存在する。
【０００３】
また、アンテナ端子とチューナとの間に、信号増幅減衰部としてＡＴＴ、Ａｍｐおよびこれらを切り換える回路を内蔵し、放送波の電界強度により、自動で当該切り替え回路の切り替えを行う技術が存在する（たとえば、特許文献１参照）。
【０００４】
特許文献１に係る技術では、ＡＴＴまたはＡｍｐに切り替えた時の、それぞれの場合について、受信可能なチャンネル数を全数カウントし、受信可能なチャンネル数が多い方を信号増幅減衰部の設定として採用する。受信チャンネルの信号電力強度は、ＡＧＣの値を用いて判断し、チャンネルの受信の可否は、ＡＧＣと、Ｃ／Ｎ（Ｃａｒｒｉｅｒ  ｔｏ  Ｎｏｉｓｅ）値と、ＢＥＲ（Ｂｉｔ Ｅｒｒｏｒ Ｒａｔｅ）とからなる受信状態情報よって判断する。
【０００５】
一般に、放送チャンネルの信号電界強度と受信信号のＣ／Ｎ値との間には所定関係があり、受信信号をＡｍｐで増幅させてからチューナに入力した場合(以下、Ａｍｐ設定とする)では、弱電界から中電界までのチャンネルが受信可能となる場合が多い。一方で、受信信号をＡＴＴで減衰させてからチューナに入力した場合（以下、ＡＴＴ設定とする）では、中電界から強電界までのチャンネルが受信可能となる場合が多い。これは、強電界の受信信号がＡｍｐに入力された場合、その過入力によりＡｍｐ内で信号歪みが発生してＣ／Ｎ値の劣化を起こし、受信性能が悪化するのに対して、ＡＴＴ設定で信号を減衰させた場合は、このようなことが発生しないためである。
【先行技術文献】
【特許文献】
【０００６】
【特許文献１】特開２００９−１７７３５１号公報
【発明の概要】
【発明が解決しようとする課題】
【０００７】
特許文献１には、Ａｍｐ設定で受信不可であった時に、ＡＧＣの値を用いて受信チャンネルが強電界であるかを判断し、強電界ではないと判断したときのみ、ＡＴＴ設定での受信可否判断をしないことで、ＡＴＴ設定での受信可否判断の回数を減らす方法も記載されている。しかし、中電界の受信チャンネルでは、Ａｍｐ設定とＡＴＴ設定との両方について、受信可否判断およびカウントを行う必要があり、受信可否判断の回数削減効果は限定的であった。
【０００８】
また、特許文献１に係る技術では、受信可否判断において、ＡＧＣ、Ｃ／Ｎ、ＢＥＲを受信状態情報として使用する。ＡＧＣの値の取得については、放送受信装置に採用するＡＧＣ内蔵チューナの仕様により、困難な場合があった。また、ＢＥＲの取得については、放送波を復調して得られるデジタルストリームを解析し、ＭＰＥＧ（Ｍｏｖｉｎｇ  Ｐｉｃｔｕｒｅｓ  Ｅｘｐｅｒｔｓ  Ｇｒｏｕｐ）動画情報の復号まで行う必要があり、１チャンネルあたりの判定時間が長くなる原因となっていた。加えて、ＢＥＲの劣化は、映像のブロックノイズなどの画質劣化の要因となるが、たとえ画質が悪くても、チャンネルを受信させた方が利便性の高い場合が多く、必ずしも受信可否の判断要素として必要ではなかった。
【０００９】
また一般に、受信信号電力が十分強ければ、信号のＣ／Ｎ値も高い場合が多い。しかし、Ｃ／Ｎ値の低い受信信号を、放送受信装置外部のブースタ等を用いて強制的に増幅するとき、放送受信装置に入力される信号電力が強くてもＣ／Ｎ値が低いために受信できないことがある。この場合、ＡＧＣの値から受信チャンネルが強電界であると判断して、ＡＴＴ設定において受信判断を行っても、結局は、Ｃ／Ｎ値が低いために受信不可であることが多かった。
【００１０】
また、複数のチューナを有し、共通の信号増幅減衰部の出力をスプリッタで分岐させて、複数のチューナに入力する放送受信装置も考えられる。当該放送受信装置では、ＡＴＴ設定でのみ受信可能な強電界のチャンネル（以下、受信可能強電界チャンネルとする。）と、Ａｍｐ設定でのみ受信可能な弱電界のチャンネル（以下、受信可能弱電界チャンネルとする。）との同時受信は、複数のチューナで信号増幅減衰部が共通であるために困難である。したがって、当該放送受信装置では、受信可能強電界チャンネルまたは受信可能弱電界チャンネルのどちらかが、受信不可となる問題があった。
【００１１】
上記各問題に鑑み、他の技術が採用された放送受信装置の提供が望まれる。
【００１２】
そこで、本発明は、簡単な方法により、弱電界から強電界までの広範囲な受信信号に対して、良好な放送受信を行うことができる、放送受信装置を提供することを目的とする。
【課題を解決するための手段】
【００１３】
上記の目的を達成するために、本発明に係る放送受信装置は、少なくとも１つ以上の放送チャンネルを含む放送信号を受信するチューナ部と、前記チューナ部からの出力信号を復調するとともに、Ｃ／Ｎ値の検出を行う復調部と、前記チューナ部に入力する前記放送信号を、増幅または減衰する信号増幅減衰部と、前記信号増幅減衰部の設定を、前記増幅に設定した増幅状態または前記減衰に設定した減衰状態に設定切り替えを行う切り替え制御部とを、備えており、前記切り替え制御部は、前記復調部から取得した前記Ｃ／Ｎ値と、前記信号増幅減衰部の前記増幅状態または前記減衰状態に基づいて、受信している放送チャンネルの電界強度範囲を判別し、当該判別した電界強度範囲に基づいて、前記信号増幅減衰部に対して前記設定切り替えを行う。
そして、前記切り替え制御部は、予め設定された基準Ｃ／Ｎ値を保持しており、前記信号増幅減衰部が前記減衰状態であるときに、前記復調部から取得した前記Ｃ／Ｎ値が前記基準Ｃ／Ｎ値以上であり、かつ、前記信号増幅減衰部が前記増幅状態であるときに、前記復調部から取得した前記Ｃ／Ｎ値が前記基準Ｃ／Ｎ値未満である場合には、現在受信している前記放送チャンネルは受信可能な強電界範囲にあると判別し、前記信号増幅減衰部が前記減衰状態であるときに、前記復調部から取得した前記Ｃ／Ｎ値が前記基準Ｃ／Ｎ値未満であり、かつ、前記信号増幅減衰部が前記増幅状態であるときに、前記復調部から取得した前記Ｃ／Ｎ値が前記基準Ｃ／Ｎ値以上である場合には、現在受信している前記放送チャンネルは受信可能な弱電界範囲にあると判別し、前記信号増幅減衰部が前記減衰状態であるときに、前記復調部から取得した前記Ｃ／Ｎ値が前記基準Ｃ／Ｎ値以上であり、かつ、前記信号増幅減衰部を前記増幅状態であるときに、前記復調部から取得した前記Ｃ／Ｎ値が前記基準Ｃ／Ｎ値以上である場合には、現在受信している前記放送チャンネルは受信可能な中電界範囲にあると判別し、前記信号増幅減衰部が前記減衰状態であるときに、前記復調部から取得した前記Ｃ／Ｎ値が前記基準Ｃ／Ｎ値未満であり、かつ、前記信号増幅減衰部が前記増幅状態であるときに、前記復調部から取得した前記Ｃ／Ｎ値が前記基準Ｃ／Ｎ値未満である場合には、現在受信している前記放送チャンネルは受信困難な電界範囲にあると判別する。
【発明の効果】
【００１４】
本発明に係る放送受信装置では、切り替え制御部は、復調部から取得したＣ／Ｎ値と、信号増幅減衰部の増幅または減衰の設定状態とに基づいて、受信している放送チャンネルの電界強度範囲を判別する。そして、当該切り替え制御部は、当該判別した電界強度範囲に基づいて、信号増幅減衰部に対して設定切り替えを行う。
【００１５】
したがって、放送受信装置は、簡単な方法により、弱電力から強電力までの広い電界強度範囲の受信信号に対して、良好な放送受信を行うことができる。
【図面の簡単な説明】
【００１６】
【図１】実施の形態１に係る放送受信装置１００の構成を示すブロック図である。
【図２】信号増幅減衰部５の設定、電界強度およびＣ／Ｎ値の特性を表すモデル図である。
【図３】電界強度範囲、信号増幅減衰部５の設定およびＣ／Ｎ値の関係を説明する図である。
【図４】実施の形態２に係る放送受信装置２００の構成を示すブロック図である。
【図５】実施の形態２に係る放送受信装置２００の動作を説明するフローチャートである。
【図６】図３のステップＳ９の動作を詳細に説明するフローチャートである。
【図７】取得されるＣ／Ｍ値、その変動範囲、閾値Ａおよび閾値Ｂの関係を表すモデル図である。
【図８】実施の形態２に係る放送受信装置２００の他の動作を説明するフローチャートである。
【図９】複数バリエーションの信号増幅減衰部５の構成を示す図である。
【図１０】実施の形態３に係る放送受信装置１００の動作を説明するフローチャートである。
【図１１】各放送チャンネルと当該放送チャンネルに対応した信号増幅減衰部５の最適設定値とから構成される表を例示する図である。
【図１２】実施の形態３に係る放送受信装置１００の動作を説明するフローチャートである。
【図１３】実施の形態４に係る放送受信装置３００の構成を示すブロック図である。
【図１４】他の実施の形態に係る放送受信装置の動作を説明するフローチャートである。
【図１５】他の実施の形態に係る放送受信装置の他の動作を説明するフローチャートである。
【発明を実施するための形態】
【００１７】
本発明に係る放送受信装置は、アンテナ、チューナ部、信号増幅減衰部、復調部および切り替え制御部を有する。信号増幅減衰部は、アンテナとチューナ部との間に配設され、アンテナからの受信信号を、Ａｍｐで増幅させてまたはＡＴＴで減衰させてから、チューナ部に入力させる。復調部は、受信チャンネルのＣ／Ｎ値を検出する。そして、切り替え制御部は、前記検出したＣ／Ｎ値と信号増幅減衰部の設定状態（増幅状態：上記Ａｍｐ設定または減衰状態：上記ＡＴＴ設定）との比較により、受信チャンネルの電界強度状態を判別する。さらに、切り替え制御部は、当該判別結果に基づいて、信号増幅減衰部の増幅・減衰の切り替えを制御する。
【００１８】
以下、この発明をその実施の形態を示す図面に基づいて具体的に説明する。
【００１９】
＜実施の形態１＞
図１は、本実施の形態に係る放送受信装置１００の構成を示すブロック図である。
【００２０】
図１に示すように、放送受信装置１００は、アンテナ１、信号増幅減衰部５、チューナ部７、Ａ（アナログ）／Ｄ（デジタル）変換部８、復調部９、復号部１０、および切り替え制御部１１を備えている。
【００２１】
信号増幅減衰部５は、Ａｍｐ（増幅器）３と、ＡＴＴ（減衰器）４と、切り替えスイッチ２とを有する。切り替えスイッチ２は、切り替え制御部１１により制御され、Ａｍｐ設定のときはＡｍｐ３の側に、ＡＴＴ設定のときはＡＴＴ４の側に切り替わる。アンテナ１で受信された受信信号は、信号増幅減衰部５に入力される。信号増幅減衰部５は、切り替えスイッチ２の状態に応じて、受信信号を、Ａｍｐ３で増幅またはＡＴＴ４で減衰する。信号増幅減衰部５から出力された放送信号は、チューナ部７に入力される。ここで、放送信号には、少なくとも１以上の放送チャンネルの情報が含まれている。
【００２２】
チューナ部７からの出力されたアナログ信号は、Ａ／Ｄ変換８により、デジタル信号に変換される。当該デジタル信号に変換された信号は、復調部９により、デジタル放送データに復調され、当該復調された信号は、復号部１０により、音声映像信号に復号される。ここで、復調部９では、現在受信中である放送チャンネルのＣ／Ｎ値を検出することもできる。
【００２３】
切り替え制御部１１は、復調部９から、現在受信中である放送チャンネルのＣ／Ｎ値を取得する。また、切り替え制御部１１は、制御している信号増幅減衰部５の現在の切り替え状態（設定状態と把握でき、増幅設定または減衰設定）と取得したＣ／Ｎ値とに基づいて、受信している放送チャンネルの電界強度範囲を判別する。そして、切り替え制御部１１は、電界強度範囲の前記判別結果に基づき、信号増幅減衰部５の切り替えスイッチ２を制御し、信号増幅減衰部５をＡｍｐ設定またはＡＴＴ設定に設定する。
【００２４】
図２は、信号増幅減衰部５の設定状態、放送チャンネルの電界強度範囲およびＣ／Ｎ値との関係を示すモデル図である。また、図３は、信号増幅減衰部５の設定状態、Ｃ／Ｎ値および放送チャンネルの電界強度範囲の関係を表として示した図である。
【００２５】
ここで、図１に示す閾値Ａは、良好に放送チャンネルを受信できるときの、Ｃ／Ｎ値の下限値（基準Ｃ／Ｎ値と把握できる。）を示している。当該閾値Ａは、切り替え制御部１１に予め設定され、保持されている。閾値Ａの値は、映像や音声の出力が可能なＣ／Ｎ値の下限値であって、放送受信装置１００の受信性能に依存する数値であり、例えば、閾値Ａ＝２２ｄＢのよう固定値でよい。
【００２６】
以下、図２および図３を参照して、切り替え制御部１１による放送チャンネルの電界強度範囲判別動作、および当該判別結果に基づく信号増幅減衰部５に対する設定切り替え動作について、説明する。
【００２７】
放送受信装置１００が受信している放送チャンネル毎において、切り替え制御部１１は、Ａｍｐ設定でのＣ／Ｎ値と、ＡＴＴ設定でのＣ／Ｎ値とを、各々順次取得する。具体的に、切り替え制御部１１は、信号増幅部５をＡｍｐ設定に制御し、当該Ａｍｐ設定の結果、復調部９から取得するＣ／Ｎ値を、Ａｍｐ設定でのＣ／Ｎ値として取得する。また、切り替え制御部１１は、信号増幅部５をＡＴＴ設定に制御し、当該ＡＴＴ設定の結果、復調部９から取得するＣ／Ｎ値を、ＡＴＴ設定でのＣ／Ｎ値として取得する。
【００２８】
切り替え制御部１１は、取得したＣ／Ｎ値と信号増幅減衰部５の設定状態とに基づいて、現在受信していている放送チャンネルの電界強度範囲を判別する。ここでは、切り替え制御部１１は、Ａｍｐ設定でのＣ／Ｎ値と、ＡＴＴ設定でのＣ／Ｎ値とから、現在受信していている放送チャンネルの電界強度範囲を判別する。
【００２９】
たとえば、Ａｍｐ設定でのＣ／Ｎ値が閾値Ａ以上で、かつ、ＡＴＴ設定でのＣ／Ｎ値が閾値Ａ以上であるとする。当該場合には、切り替え制御部１１は、現在受信している放送チャンネルが、良好に受信可能であると判別する共に、図２の電界強度範囲ｃ，ｄ，ｅのいずれかの電界強度範囲（中電界範囲）であると、判別する。当該判別の場合には、信号増幅減衰部５がＡｍｐ設定であっても、ＡＴＴ設定であっても、Ｃ／Ｎ値は閾値Ａ以上となり、当該受信している放送チャンネルを良好に受信できる。よって、信号増幅減衰部５に対する切り替え制御は必要としない。しかしながら、一般的には、Ａｍｐ設定の方がＣ／Ｎ値が高くなるケースが多い。したがって、当該判別結果の場合には、切り替え制御部１１は、信号増幅減衰部５をＡｍｐ設定に切り替える制御を行うことが好ましい。
【００３０】
上記と異なり、Ａｍｐ設定でのＣ／Ｎ値が閾値Ａ未満で、かつ、ＡＴＴ設定でのＣ／Ｎ値も閾値Ａ未満であるとする。当該場合には、切り替え制御部１１は、現在受信している放送チャンネルが、良好には受信不可能な電界範囲（つまり、図１の電界強度範囲ａの弱電界、または電界強度範囲ｇの強電界）であると、判別する。このように、受信困難な電界範囲と判別した場合には、信号増幅減衰部５がＡｍｐ設定であっても、ＡＴＴ設定であっても、Ｃ／Ｎ値は閾値Ａ未満となり、当該受信している放送チャンネルを良好に受信することは困難である。よって、信号増幅減衰部５に対する切り替え制御は必要としない。しかしながら、一般的には、電界強度範囲ａの弱電界の場合では、Ａｍｐ設定の方がＣ／Ｎ値が高くなるケースが多い。したがって、当該判別結果の場合には、切り替え制御部１１は、信号増幅減衰部５をＡｍｐ設定に切り替える制御を行うことが好ましい。
【００３１】
上記と異なり、Ａｍｐ設定でのＣ／Ｎ値が閾値Ａ以上で、かつ、ＡＴＴ設定でのＣ／Ｎ値が閾値Ａ未満であるとする。当該場合には、切り替え制御部１１は、現在受信している放送チャンネルが、良好に受信可能であると判別する共に、図２の電界強度範囲ｂの電界強度範囲（弱電界範囲）であると、判別する。当該判別の場合には、信号増幅減衰部５がＡｍｐ設定である場合には当該受信している放送チャンネルの良好な受信が可能であり、ＡＴＴ設定である場合には当該受信している放送チャンネルの良好な受信が困難である。よって、切り替え制御部１１は、信号増幅減衰部５をＡｍｐ設定に切り替える。
【００３２】
上記と異なり、Ａｍｐ設定でのＣ／Ｎ値が閾値Ａ未満で、かつ、ＡＴＴ設定でのＣ／Ｎ値が閾値Ａ以上であるとする。当該場合には、切り替え制御部１１は、現在受信している放送チャンネルが、良好に受信可能であると判別する共に、図２の電界強度範囲ｆの電界強度範囲（強電界範囲）であると、判別する。当該判別の場合には、信号増幅減衰部５がＡＴＴ設定である場合には当該受信している放送チャンネルの良好な受信が可能であり、Ａｍｐ設定である場合には当該受信している放送チャンネルの良好な受信が困難である。よって、切り替え制御部１１は、信号増幅減衰部５をＡＴＴ設定に切り替える。
【００３３】
上記判別動作および切り替え動作は、放送受信装置１００が受信している放送信号に含まれる各放送チャンネル毎に、実施される。
【００３４】
以上のように、本実施の形態に係る放送受信装置１００では、Ａｍｐ設定およびＡＴＴ設定のときの放送チャンネルのＣ／Ｎ値を得るだけで、受信している放送チャンネルにおける電界強度範囲を判別できる。また、当該放送受信装置１００では、受信している放送チャンネルにおける当該電界強度範囲の判別により、信号増幅減衰部５の設定状態を適切にかつ自動的に切り替えている。したがって、放送受信装置１００は、簡単な方法により、弱電力から強電力までの広い電界強度範囲の受信信号に対して、良好な放送受信を行うことができる。
【００３５】
また、本実施の形態に係る放送受信装置１００では、Ａｍｐ設定でのＣ／Ｎ値と、ＡＴＴ設定でのＣ／Ｎ値と、閾値Ａとを用いて、各放送チャンネル毎に、電界強度範囲を判別している。したがって、放送受信装置１００は、簡単かつ正確に、受信している放送チャンネルの電界強度範囲を判別できる。よって、放送受信装置１００は、当該判別を通じて、信号増幅減衰部５の設定を正確（適切）に切り替えることができる。
【００３６】
また、本実施の形態に係る放送受信装置１００では、受信している放送チャンネルが、良好に受信可能な強電界範囲であると判別したときのみ、信号増幅減衰部５をＡＴＴ設定に切り替え、それ以外の判別の場合には、信号増幅減衰部５をＡｍｐ設定に切り替えている。したがって、放送受信装置１００は、良好に受信可能とした放送チャンネルの受信はもちろん、良好な受信が困難と判断した放送チャンネルに対しても受信できる確率を増大させることができる。
【００３７】
なお、図１の構成とは異なり、アンテナで受信した受信信号を同一の信号増幅減衰部が入力し、当該信号増幅減衰部の出力をスプリッタで分岐させ、複数のチューナ部に並列入力する構成の放送受信装置を採用しても良い。
【００３８】
当該構成では、複数のチューナ部で受信している放送チャンネルが全て受信可能弱電界チャンネルの時は信号増幅減衰部をＡｍｐ設定に、受信可能強電界チャンネルの時は信号増幅減衰部をＡＴＴ設定にする。これにより、全てのチューナ部で受信可能である。しかしながら、同時に受信させたい放送チャンネルが受信可能弱電界チャンネルと受信可能強電界チャンネルである時は、当該構成・動作の放送受信装置では、前記各放送チャンネルの同時受信が困難となる。
【００３９】
そこで、上記構成の放送受信装置の場合には、一般に、信号増幅減衰部の設定をＡｍｐ設定またはＡＴＴ設定のどちらかに固定する。信号増幅減衰部の設定を選択する方法として、受信可能弱電界チャンネルの数と、受信可能強電界チャンネルの数を比較し、信号増幅減衰部をＡｍｐ設定またはＡＴＴ設定のどちらかに固定した時、受信できなくなるチャンネル数よりも受信可能となるチャンネル数の方が多くなる方の設定にすることができる。または、一般に受信可能強電界チャンネルは、放送受信装置の設置場所から最近傍の送信所からの受信であることが多く、受信地域にとって重要性の高い放送チャンネルであることがある。この時は、受信可能強電界チャンネルが存在する場合に、受信可能弱電界チャンネルの有無に関わらず、信号増幅減衰部をＡＴＴ設定に固定しても良い。当該放送受信装置の具体的説明は、実施の形態２で行う。
【００４０】
また、上記では、特定の放送チャンネルについて、電界強度範囲の判別と、それに基づく信号増幅減衰部５の設定の切り替えをする方法を示した。しかし、複数の放送チャンネルでチャンネル切り替えをする場合は、チャンネル切り替え時に、その都度、電界強度範囲の判別と信号増幅減衰部の切り替えをして、最適な信号増幅減衰部５の設定にすることができる。または、各放送チャンネルに最適な信号増幅減衰部５の設定値を事前に記憶しておき、チャンネル切り替え時に、この設定値を読み出して、信号増幅減衰部５をＡｍｐ設定またはＡＴＴ設定に切り替えてもよい。当該放送受信装置の具体的説明は、実施の形態３で行う。
【００４１】
一方、複数のチューナ部の前段に、それぞれのチューナ部専用の信号増幅減衰部を有し、アンテナからの受信信号をスプリッタで分岐させてから、それぞれの信号増幅減衰部に入力し、それを各チューナ部に入力する構成の放送受信装置も採用できる。
【００４２】
当該構成の放送受信装置の場合には、各チューナ部の信号増減部を個別にＡｍｐ設定またはＡＴＴ設定に切り替え制御することができる。例えば、受信可能弱電界チャンネルを受信するチューナ部の信号増幅減衰部はＡｍｐ設定とし、受信可能強電界チャンネルを受信するチューナ部の信号増幅減衰部はＡＴＴ設定とする。これにより、受信可能弱電界チャンネルと受信可能強電界チャンネルとを、同時受信することも可能である。当該放送受信装置の具体的説明は、実施の形態４で行う。
【００４３】
なお、他の実施の形態において、他の変形例である本発明に係る放送受信装置の説明を行う。
【００４４】
＜実施の形態２＞
本発明の実施の形態では、アンテナからの受信信号を信号増幅減衰部に入力し、その信号増幅減衰部の出力を分岐させ、複数のチューナ部に入力する構成の放送受信装置について説明する。当該放送受信装置では、各放送チャンネルの電界強度範囲をＣ／Ｎ値から判別し、良好に受信可能な弱電界チャンネル数と良好に受信可能な強電界チャンネル数とを比較する。当該比較の結果、受信可能強電界チャンネル数の方が多ければ、信号増幅減衰部をＡＴＴ設定に切り替え、固定し、そうでなければＡｍｐ設定に切り替え、固定する。
【００４５】
図４は、本発明の実施形態に係る放送受信装置２００の構成を示す、ブロック図である。
【００４６】
当該放送受信装置２００では、一つのアンテナ１、一つの信号増幅減衰部５、一つのスプリッタ６、一つの切り替え制御部１１と、二つのチューナ部７ａ，７ｂ、二つのＡ／Ｄ変換部８ａ，８ｂ、二つの復調部９ａ，９ｂ、二つの復号部１０ａ，１０ｂとから、構成されている。
【００４７】
なお、図１に示す放送受信装置１００と図４に示す放送受信装置２００とにおいて、各ブロックで同じ名称のブロックは、同じ動作・機能を有する。
【００４８】
チューナ部７ａ、Ａ／Ｄ変換部８ａ、復調部９ａ、および復号部１０ａは、当該順に、直列接続されている（第一の系統と称する）。また、チューナ部７ｂ、Ａ／Ｄ変換部８ｂ、復調部９ｂ、および復号部１０ｂは、当該順に、直列接続されている（第二の系統と称する）。信号増幅減衰部５からの出力は、スプリッタ６で分岐され、第一の系統および第二の系統に各々入力する。また、復調部９ａで検出したＣ／Ｎ値および復調部９ｂで検出したＣ／Ｎ値は、各々切り替え制御部１１に入力する。
【００４９】
なお、図４の構成では、二つの系統を有する放送受信装置２００について図示しているが、三つ以上の系統を有する放送受信装置であっても良い。各系統は、チューナ部、Ａ／Ｄ変換部、復調部、および復号部が、当該順に直列接続された構成である。当該構成の場合には、スプリッタ６で分岐された信号は各々、各系統に入力する。また、各復調部で検出したＣ／Ｎ値は各々、切り替え制御部１１に入力する。
【００５０】
また、実施の形態１での説明と同様に、図４の構成では、アンテナ１から出力された信号は、信号増幅減衰部５に入力される。当該信号増幅減衰部５は、Ａｍｐ３と、ＡＴＴ４と、切り替えスイッチ２とを有し、切り替えスイッチ２は、切り替え制御部１１により制御される。
【００５１】
実施の形態１でも説明したように、チューナ部７ａ，７ｂの出力は、Ａ／Ｄ変換８ａ，８ｂでデジタル信号に変換された後、復調処理９ａ，９ｂにより復調され、復号処理１０ａ，１０ｂで音声映像信号に復号される。切り替え制御部１１は、復調処理９ａ，９ｂより現在受信中である放送チャンネルのＣ／Ｎ値を各々取得し、信号増幅減衰部５の切り替え状態と取得したＣ／Ｎ値とから、放送チャンネルの電界強度範囲を判別する。また、切り替え制御部１１は、放送チャンネルの電界強度範囲の判別結果に基づき、信号増幅減衰部５の切り替えスイッチ２を制御し、信号増幅減衰部５をＡｍｐ設定またはＡＴＴ設定に設定する。
【００５２】
本実施の形態に係る放送受信装置２００では、例えば、放送受信装置２００を使用する際に、受信に最適な信号増幅減衰部５の設定が、Ａｍｐ設定とＡＴＴ設定のどちらかであるかを調べるためのチャンネルスキャンをはじめに行う。その後、最適な信号増幅減衰部５の設定にした後で、放送受信装置２００は、再度チャンネルスキャンを行い、各放送チャンネルの放送波ストリームの復調と復号を行う。
【００５３】
はじめのチャンネルスキャンでは、放送受信装置２００は、フレームロックされた放送チャンネルそれぞれで、信号増幅減衰部５をＡｍｐ設定およびＡＴＴ設定のそれぞれに切り替えたときのＣ／Ｎ値を各々取得し、取得したＣ／Ｎ値から受信中の放送チャンネルの電界強度範囲を判別する。当該判別の結果、受信している放送チャンネルが、良好に受信可能な弱電界範囲であると判別した場合は、放送受信装置２００は、受信可能弱電界チャンネル数（第一のチャンネル数と把握できる）をカウントする変数に、「１」を加算する。また、当該判別の結果、受信している放送チャンネルが、良好に受信可能な強電界範囲であると判別した場合は、放送受信装置２００は、受信可能強電界チャンネル数（第二のチャンネル数と把握できる）をカウントする変数に、「１」を加算する。
【００５４】
全てのフレームロック可能な放送チャンネルについて、上記電界強度範囲の判別と上記チャンネル数のカウントが終了した後、切り替え制御部１１は、当該カウントの結果に応じて、次の動作を行う。つまり、切り替え制御部１１は、受信可能強電界チャンネル数が、受信可能弱電界チャンネル数以上であれば、信号増幅減衰部５をＡＴＴ設定に切り替える。これに対して、切り替え制御部１１は、受信可能強電界チャンネル数が、受信可能弱電界チャンネル数未満であれば、信号増幅減衰部５をＡｍｐ設定に切り替える。
【００５５】
当該信号増幅減衰部５の切り替え制御の後、放送受信装置２００は、信号増幅減衰部５の切り替え設定を固定する。そして、当該設定を固定した状態で、放送受信装置２００は、再度、フレームロック可能であった放送チャンネルについて、チャンネルのＴＳ（Ｔｒａｎｓｐｏｒｔ  Ｓｔｒｅａｍ）解析までを含むチャンネルスキャンを行い、放送受信装置２００に放送局情報等のチャンネル登録を行う。
【００５６】
図５は、実施の形態２に係る放送受信装置２００の動作を説明するフローチャートである。
【００５７】
図５において、まずステップＳ１で、放送受信装置２００は、チャンネルスキャンが開始する。そして、放送受信装置２００は、ステップＳ２で、変数ｃｈ＿ａｔｔと変数ｃｈ＿ａｍｐを各々、「０」に初期化する。ここで、変数ｃｈ＿ａｔｔは、受信可能強電界チャンネルの数をカウントする変数であり、ｃｈ＿ａｍｐは、受信可能弱電界チャンネルの数をカウントする変数である。
【００５８】
ステップＳ３において、信号増幅減衰部５の設定がＡｍｐ設定に切り替わる。この状態で、ステップＳ４において、放送受信装置２００は、スキャンする放送チャンネルをチューナ部７ａ，７ｂで設定（選局）する。そして、放送受信装置２００は、ステップＳ５において、フレームロック（同調）できたか否かの確認を行う。ステップＳ５でフレームロックできない判定された場合には（ステップＳ５で「Ｎ」）、次の放送チャンネルのスキャンを行うために、放送受信装置２００はステップＳ１０の動作へと移行する。これに対して、ステップＳ５でフレームロックできたと判定された場合には（ステップＳ５で「Ｙ」）、放送受信装置２００は、ステップＳ６の動作へと移行する。
【００５９】
さて、ステップＳ３により信号増幅減衰部５は、Ａｍｐ設定となっている。そこで、ステップＳ６において、復調部９ａ，９ｂは、受信している放送チャンネルのＡｍｐ設定でのＣ／Ｎ値を検出する。そして、ステップＳ６では、切り替え制御部１１は、当該検出したＣ／Ｎ値を取得し、変数ｃｎ＿ａｍｐに格納する。そして、ステップＳ７において、信号増幅減衰部５の設定がＡＴＴ設定に切り替わる。次に、ステップＳ８において、復調部９ａ，９ｂは、受信している放送チャンネルのＡＴＴ設定でのＣ／Ｎ値を検出する。そして、ステップＳ８では、切り替え制御部１１は、当該検出したＣ／Ｎ値を取得し、変数ｃｎ＿ａｔｔに格納する。
【００６０】
次に、ステップＳ９において、切り替え制御部１１は、変数ｃｎ＿ａｍｐとｃｎ＿ａｔｔとに格納された各Ｃ／Ｎ値をもとに、受信している放送チャンネルの電界強度範囲を判別する。そして、受信している放送チャンネルが受信可能弱電界チャンネルであると判別されれば、切り替え制御部１１は、変数ｃｈ＿ａｍｐに「１」を加算する。他方、受信している放送チャンネルが受信可能強電界チャンネルであると判別されれば、切り替え制御部１１は、変数ｃｈ＿ａｔｔに「１」を加算する。ステップＳ９の後、ステップＳ１０に移行する。なお、当該ステップ９の詳細な動作は、別途図６を用いて後述する。
【００６１】
ステップＳ１０において、放送受信装置２００は、全ての放送チャンネルのスキャンが完了したか否かを判断する。まだスキャンすべき放送チャンネルが残っている場合には（ステップＳ１０で「Ｎ」）、ステップＳ３に戻り、次の放送チャンネルのフレームロックと電界強度範囲判別を継続する。他方、スキャンすべき放送チャンネルが無い場合には（ステップＳ１０で「Ｙ」）、放送受信装置２００の動作はステップＳ１１に移行する。
【００６２】
ステップＳ１１において、切り替え制御部１１は、全放送チャンネルについてのチャンネルスキャンの結果計数した、変数ｃｈ＿ａｍｐと変数ｃｈ＿ａｔｔとを比較する。当該比較の結果、受信可能強電界チャンネル数である変数ｃｈ＿ａｔｔが、受信可能弱電界チャンネル数である変数ｃｈ＿ａｍｐ以下であるとする（ステップＳ１１で「Ｙ」）。当該場合には、切り替え制御部１１は、信号増幅減衰部５をＡＴＴ設定に切り替える（ステップＳ１２）。これに対して、当該比較の結果、受信可能強電界チャンネル数である変数ｃｈ＿ａｔｔが、受信可能弱電界チャンネル数である変数ｃｈ＿ａｍｐ未満であるとする（ステップＳ１１で「Ｎ」）。当該場合には、切り替え制御部１１は、信号増幅減衰部５をＡｍｐ設定に切り替える（ステップＳ１３）。
【００６３】
ステップＳ１２，Ｓ１３により設定された信号増幅減衰部５の設定（最適設定と把握できる）を、放送受信装置２００は固定する。そして、当該設定固定状態において、図５のステップＳ１４〜ステップＳ１７に示す、放送波ストリームの復調、復号およびチャンネル登録を含むチャンネルスキャン処理を、放送受信装置２００は実施する。
【００６４】
まず、ステップＳ１４で、放送受信装置２００は、スキャンする放送チャンネルをチューナ部７ａ，７ｂで設定（選局）する。そして、ステップＳ１５で、放送受信装置２００は、フレームロック（同調）できたか否かを確認する。フレームロックできない場合には（ステップＳ１５で「Ｎ」）、放送受信装置２００は、次の放送チャンネルのスキャンに進めるために、ステップＳ１７の動作に移行する。他方、フレームロックできた場合には（ステップＳ１５で「Ｙ」）、放送受信装置２００は、ステップＳ１６の動作に移行する。
【００６５】
ステップＳ１６において、放送受信装置２００は、放送波ストリームの復調（復調部９ａ，９ｂ）と復号（復号部１０ａ，１０ｂ）とを行って、受信している放送チャンネルのストリームを解析する（ＴＳ解析）。そして、ステップＳ１６において、放送受信装置２００は、放送局名などの情報取得や自装置２００へのチャンネル登録等を行う。なお、前記ＴＳ解析に失敗し、正常に受信できない放送チャンネルがあった場合には、放送受信装置２００は、前記情報の取得や前記登録等を実施せず、ステップＳ１７に進む。
【００６６】
ステップＳ１７において、放送受信装置２００は、全ての放送チャンネルのスキャンが完了したか否かを判断する。まだスキャンすべき放送チャンネルが残っている場合（ステップＳ１７で「Ｎ」）は、未スキャンの放送チャンネルに対してステップＳ１４からの処理を、放送受信装置２００は実施する。他方、全ての放送チャンネルに対してスキャンが完了した場合には（ステップＳ１７で「Ｙ」）、ステップＳ１８により、放送受信装置２００は、チャンネルスキャンを終了する。
【００６７】
次に、上記ステップＳ９の動作の詳細を、図６に示すフローチャートを用いて説明する。
【００６８】
ステップＳ９で説明した電界強度範囲の判別では、受信している放送チャンネルについて取得した、Ａｍｐ設定の時のＣ／Ｎ値（変数ｃｎ＿ａｍｐ）と、ＡＴＴ設定の時のＣ／Ｎ値（変数ｃｎ＿ａｔｔ）とを用いて、当該放送チャンネルの電界強度範囲が判別される。当該判別の結果、図２の弱電界範囲ｂ（受信可能な弱電界範囲）であれば、切り替え制御部１１は、受信可能弱電界チャンネル数をカウントする変数ｃｈ＿ａｍｐを、１つカウントアップする。他方、当該判別の結果、図２の弱電界範囲ｆ（受信可能な強電界範囲）であれば、切り替え制御部１１は、受信可能強電界チャンネル数をカウントする変数ｃｈ＿ａｔｔを、１つカウントアップする。当該一連の処理が、ステップＳ２０〜ステップＳ２７である。
【００６９】
つまり、ステップＳ２０で、切り替え制御部１１は、電界強度範囲の判別処理を開始する。そして、ステップＳ２１において、切り替え制御部１１は、変数ｃｎ＿ａｍｐと変数ｃｎ＿ａｔｔの両方が、実施の形態１で説明した閾値Ａ未満かを判断する。両変数が共に閾値Ａ未満である場合には（ステップＳ２１で「Ｙ」）、受信している放送チャンネルは、図２の弱電界範囲ａまたは強電界範囲ｇである。当該場合には、信号増幅減衰部５の設定がＡｍｐ設定かＡＴＴ設定かにかかわらず、良好に放送チャンネルを受信できない。したがって、信号増幅減衰部５の切り替え制御は必要ではなく、ステップＳ２７に進み、切り替え制御部１１は、電界強度範囲の判別処理を終了する。これに対して、少なくとも一方の変数が閾値Ａ以上である場合には（ステップＳ２１で「Ｎ」）、切り替え制御部１１は、ステップＳ２２の処理を行う。
【００７０】
ステップＳ２２では、切り替え制御部１１は、変数ｃｎ＿ａｍｐと変数ｃｎ＿ａｔｔとの両方が、閾値Ａ以上であるか否かを判断する。両変数が共に閾値Ａ以上である場合には（ステップＳ２２で「Ｙ」）、受信している放送チャンネルは、図２の中電界範囲ｃ，ｄ，ｅである。当該場合には、信号増幅減衰部５の設定がＡｍｐ設定かＡＴＴ設定かにかかわらず、良好に放送チャンネルを受信できる。したがって、信号増幅減衰部５の切り替え制御は必要ではなく、ステップＳ２７に進み、切り替え制御部１１は、電界強度範囲の判別処理を終了する。これに対して、一方の変数のみが閾値Ａ以上である場合には（ステップＳ２２で「Ｎ」）、受信している放送チャンネルは、図２の良好受信可能な弱電界範囲ｂまたは良好受信可能な強電界範囲ｆである。したがって、当該場合には、信号増幅減衰部５の切り替え制御が必要となる。そこで、切り替え制御部１１は、ステップＳ２３以降の動作を行う。
【００７１】
ステップＳ２３において、切り替え制御部１１は、変数ｃｎ＿ａｍｐと変数ｃｎ＿ａｔｔの間に、明確な差があるかを判断する。具体的に、切り替え制御部１１は、｜（変数ｃｎ＿ａｍｐ）−（変数ｃｎ＿ａｔｔ）｜≦閾値Ｂ、つまり、変数ｃｎ＿ａｍｐと変数ｃｎ＿ａｔｔとの差の絶対値が閾値Ｂ以下、であるか否かを判断する。ここで、当該閾値Ｂは、切り替え制御部１１に予め設定されている。閾値Ｂの値は、例えばＢ＝２ｄＢなど、取得されるＣ／Ｎ値の変動範囲程度にすると良い。
【００７２】
｜（変数ｃｎ＿ａｍｐ）−（変数ｃｎ＿ａｔｔ）｜≦閾値Ｂを満たす場合とは、受信している放送チャンネルにおいて、Ａｍｐ設定でのＣ／Ｎ値とＡＴＴ設定でのＣ／Ｎ値との間に明確な差がない状態である。当該場合には、信号増幅減衰部５の切り替え制御を行っても受信している放送チャンネルのＣ／Ｎ値が改善される可能性が低い。したがって、信号増幅減衰部５の切り替え制御は必要ではなく、ステップＳ２３で「Ｙ」でステップＳ２７に進み、切り替え制御部１１は、電界強度範囲の判別処理を終了する。
【００７３】
これに対して、｜（変数ｃｎ＿ａｍｐ）−（変数ｃｎ＿ａｔｔ）｜≦閾値Ｂを満たさない場合とは、受信している放送チャンネルにおいて、Ａｍｐ設定でのＣ／Ｎ値とＡＴＴ設定でのＣ／Ｎ値との間に明確な差がある状態である。当該場合には、信号増幅減衰部５の切り替え制御により、受信している放送チャンネルのＣ／Ｎ値が、大きく向上する可能がある。そこで、切り替え制御部１１は、ステップＳ２４移行の動作を行う。
【００７４】
ここで、図７は、取得されるＣ／Ｎ値とその変動（誤差）範囲との関係を示す図である。図７の縦軸は、Ｃ／Ｎ値である。また、図７に示す「Ａ」は、閾値Ａであり、「Ｂ」は、閾値Ｂである。また、「○」は、取得されたＣ／Ｎ値である。なお、図７には、Ｃ／Ｎ値のゆらぎの範囲（変動範囲）も示している。
【００７５】
図７の（ａ）は、取得されたＣ／Ｎ値が閾値Ａ以下であるが、Ｃ／Ｎ値の変動範囲の中心は閾値Ａ以上の場合を表している。図７の（ｂ）は、取得されたＣ／Ｎ値が閾値Ａ以上であるが、Ｃ／Ｎ値の変動範囲の中心は閾値Ａ以下の場合を表している。図７の（ａ）がＡｍｐ設定、（ｂ）がＡＴＴ設定のときに取得されたＣ／Ｎ値であったと仮定する。本来は、Ａｍｐ設定の方がＡＴＴ設定よりも、Ｃ／Ｎ値が閾値Ａ以上となる確率が高くなるが、前記仮定では、ＡＴＴ設定が有効となる可能性がある。上記ステップＳ２３の動作により、前記可能性を除去することがきる。
【００７６】
さて、図６の説明に戻り、ステップＳ２４では、切り替え制御部１１は、変数ｃｎ＿ａｔｔと変数ｃｎ＿ａｍｐとを比較する。つまり、ステップＳ２４において、切り替え制御部１１は、変数ｃｎ＿ａｔｔと変数ｃｎ＿ａｍｐとの大小関係を比較する。
【００７７】
変数ｃｎ＿ａｔｔが変数ｃｎ＿ａｍｐより小さい場合とは、受信している放送チャンネルは、図２の弱電界範囲ｂである。そこで、当該場合には、ステップＳ２４で「Ｎ」となり、ステップＳ２５で、切り替え制御部１１は、受信可能弱電界チャンネルをカウントする変数ｃｈ＿ａｍｐに「１」を加算する。そして、ステップＳ２７に進み、切り替え制御部１１は、電界強度範囲の判別処理を終了する。
【００７８】
これに対して、変数ｃｎ＿ａｔｔが変数ｃｎ＿ａｍｐより大きい場合とは、受信している放送チャンネルは、図２の弱電界範囲ｆである。そこで、当該場合には、ステップＳ２４で「Ｙ」となり、ステップＳ２６で、切り替え制御部１１は、受信可能強電界チャンネルをカウントする変数ｃｈ＿ａｔｔに「１」を加算する。そして、ステップＳ２７に進み、切り替え制御部１１は、電界強度範囲の判別処理を終了する。
【００７９】
以上のように、受信している放送チャンネルのＡｍｐ設定およびＡＴＴ設定のときのＣ／Ｎ値を用いて、受信している放送チャンネルが受信可能弱電界チャンネルであれば、変数ｃｈ＿ａｍｐをカウントアップし、当該放送チャンネルが受信可能強電界チャンネルであれば変数ｃｈ＿ａｔｔをカウントアップする。また、前記カウントアップの処理は、チャンネルスキャン中に、フレームロックされた放送チャンネルを対象に実施される。
【００８０】
以上のように、本実施の形態に係る放送受信装置２００では、Ａｍｐ設定でのＣ／Ｎ値とＡＴＴ設定のＣ／Ｎ値とを用いて、受信している放送チャンネルの電界強度範囲を判別し、放送信号に含まれる全ての放送チャンネルについて、当該判別を行う。そして、その結果得られる、受信可能弱電界チャンネル数と受信可能強電界チャンネル数との比較に基づいて、信号増幅減衰部５の設定を切り替え、固定している。したがって、放送受信装置２００は、弱電界から強電界の広い電界強度の放送信号に対して、より多くの放送チャンネルを良好に受信することが可能となる。
【００８１】
ここで、図６の動作では、ステップＳ２３において、Ａｍｐ設定でのＣ／Ｎ値（変数ｃｎ＿ａｍｐ）とＡＴＴ設定でのＣ／Ｎ値（変数ｃｎ＿ａｔｔ）との差が、大きいか否かの判断をしている。ところで、図２の電界強度範囲ｂまたは電界強度範囲ｆにおいては、本来、変数ｃｎ＿ａｍｐと変数ｃｎ＿ａｔｔとの差は、取得されるＣ／Ｎ値の誤差範囲以上であることが多い。また、取得されるＣ／Ｎ値が安定していて、取得値のばらつきが小さい場合、図７で示したような、取得されるＣ／Ｎ値のばらつきによる判定の誤りは発生しにくい。したがって、図６において、ステップＳ２３の動作を省略しても良い。なお、ステップＳ２３を省略する場合には、ステップＳ２４において、変数ｃｎ＿ａｍｐ＝変数ｃｎ＿ａｔｔと、判断される可能性が生じる。当該判断が発生した場合には、ステップＳ２５，Ｓ２６を実施せず、ステップＳ２７に進めば良い。
【００８２】
また、図５のステップＳ６とステップＳ８とにおいてＣ／Ｎ値が取得される。ここで、信号増幅減衰部５の設定を切り替えた（ステップＳ３、ステップＳ７）直後では、復調部９ａ，９ｂで検出されるＣ／Ｎ値の値は大きく変動する。また、取得対象であるＣ／Ｎ値は時間経過とともにある程度変動ことが多い。そこで、信号増幅減衰部５の設定切り替え後に、ある程度の時間インターバルをおいてから、Ａｍｐ設定でのＣ／Ｎ値およびＡＴＴ設定でのＣ／Ｎ値を取得することが望ましい。または、Ａｍｐ設定でのＣ／Ｎ値を複数回に渡り取得し、またＡＴＴ設定でのＣ／Ｎ値を複数回に渡り取得し、ステップＳ６の変数ｃｎ＿ａｍｐとして、Ａｍｐ設定での平均のＣ／Ｎ値を取得し、ステップＳ８の変数ｃｎ＿ａｔｔとして、ＡＴＴ設定での平均のＣ／Ｎ値を取得しても良い。この場合には、当該平均のＣ／Ｎ値を各々使用して、ステップＳ９の動作が実施される。
【００８３】
また、図５の動作では、信号増幅減衰部５の設定を固定した後、ステップＳ１４移行において第２のチャンネルスキャンを行っている。しかしながら、図５における第１のチャンネルスキャンのステップＳ５で、フレームロックできなかった放送チャンネルは、ステップＳ１５でもフレームロックできないことが多い。そこで、ステップＳ５でフレームロックできた放送チャンネルを放送受信装置２００は記憶し、当該記憶した放送チャンネルのみを、ステップＳ１４移行の第２のチャンネルスキャンの対象とすることが望ましい。これにより、第１のチャンネルスキャンでフレームロックできた放送チャンネルのみを対象に、第２のチャンネルスキャンを行うことができるので、第２のチャンネルスキャン回数を削減することができる。
【００８４】
また、図５、および後述する図８、実施の形態３の図１０、その他の実施の形態の図１４と図１５の動作では、前もって信号増幅減衰部の設定をＡｍｐ設定に切り替え、この状態で受信する放送チャンネルを選局して、フレームロックできたか否かの確認を行う。しかしながら、信号増幅減衰部をＡＴＴ設定に切り替えた状態もしくはＡｍｐ設定とＡＴＴ設定の両方で、放送チャンネルを選局し、フレームロックできたか否かの確認を行っても良い。例えば前述の図５の動作においては、ステップＳ３を「ＡＴＴ設定に切り替え」に変更し、ステップＳ５とステップＳ６との間で、信号増幅減衰部をＡｍｐ設定に切り替える処理を行うことで、上記ＡＴＴ設定に切り替えた状態でのフレームロックできたか否かの確認を実施することができる。
【００８５】
また一般に、放送受信装置の設置場所は、強電界である放送信号の受信環境よりも、弱電界・中電界である放送信号の受信環境であることが多い。そこで、はじめのチャンネルスキャン中にＡｍｐ設定であるときのＴＳ解析と、受信可能放送チャンネルの登録とを行う。これにより、弱電界・中電界である放送信号の受信環境においては、第２のチャンネルスキャンを省略することもできる。図８は、当該事項に基づき図５に示す処理に変更を加えた、フローチャートである。図８に示す処理では、図５で説明したチャンネルスキャンにおける処理に対して、放送チャンネルの受信状態の判定を行う第１のチャンネルスキャン中に、信号増幅減衰部５がＡｍｐ設定であるときのＴＳ解析までを行う。以下、図８に示す処理の流れを説明する。
【００８６】
図８の処理では、まずステップＳ３０で、放送受信装置２００は、チャンネルスキャンを開始する。そして、ステップＳ３１において、放送受信装置２００は、変数ｃｈ＿ａｔｔと変数ｃｈ＿ａｍｐとを各々、初期化する。そして、ステップＳ３２において、信号増幅減衰部５は、Ａｍｐ設定に切り替えられる。次に、ステップＳ３３において、放送受信装置２００は、スキャンするチャンネルを設定する。その後、ステップＳ３４において、放送受信装置２００は、フレームロックしたか否かを判断する。
【００８７】
フレームロックしないときは（ステップＳ３４で「Ｎ」）、次のチャンネルのスキャンをするために、放送受信装置２００は、ステップＳ４１の処理に進む。他方、フレームロックしたときは（ステップＳ３４で「Ｙ」）、ステップＳ３５で、復調部９ａ，９ｂで検出されたＡｍｐ設定でのＣ／Ｎ値を、切り替え制御部１１は取得する。そして、ステップＳ３５において、切り替え制御部１１は、当該取得したＡｍｐ設定でのＣ／Ｎ値を、変数ｃｎ＿ａｍｐに格納する。
【００８８】
次に、ステップＳ３６において、信号増幅減衰部５は、ＡＴＴ設定に切り替えられる。その後、ステップＳ３７で、復調部９ａ，９ｂで検出されたＡＴＴ設定でのＣ／Ｎ値を、切り替え制御部１１は取得する。そして、ステップＳ３７において、切り替え制御部１１は、当該取得したＡＴＴ設定でのＣ／Ｎ値を、変数ｃｎ＿ａｔｔに格納する。
【００８９】
次に、ステップＳ３８において、切り替え制御部１１は、変数ｃｎ＿ａｍｐと変数ｃｎ＿ａｔｔとを用いて、図６で説明した受信状態の判定（電界強度範囲の判別）を行う。その後、ステップＳ３９において、信号増幅減衰部５は、Ａｍｐ設定に切り替えられる。そして、ステップＳ４０において、放送受信装置２００はＴＳ解析を行い、Ａｍｐ設定のときの受信している放送チャンネルの情報取得やチャンネル登録等を行う。
【００９０】
次に、ステップＳ４１では、放送受信装置２００は、まだ第１のチャンネルスキャンの終わっていない放送チャンネルがあるか否かを判断する。全放送チャンネルに対する第１のチャンネルスキャンが終了していなければ（ステップＳ４１で「Ｎ」）、ステップＳ３２に戻って、他の放送チャンネルに対して、第１のチャンネルスキャンを継続する。他方、全放送チャンネルに対する第１のチャンネルスキャンが終了していれば（ステップＳ４１で「Ｙ」）、放送受信装置２００は、ステップＳ４２の処理に進む。
【００９１】
ステップＳ４２では、ステップＳ３８でカウントされた、受信可能弱電界チャンネルの数である変数ｃｈ＿ａｍｐと受信可能強電界チャンネルの数である変数ｃｈ＿ａｔｔとを、切り替え制御部１１は比較する。
【００９２】
変数ｃｈ＿ａｍｐが変数ｃｈ＿ａｔｔ以上であれば（ステップＳ４２で「Ｙ」）、切り替え制御部１１は、信号増幅減衰部５の最適設定はＡｍｐ設定であると判断する。ここで、ステップＳ３９の処理により、信号増幅減衰部５はＡｍｐ設定であるので、切り替え制御部１１は、信号増幅減衰部５をＡｍｐ設定に切り替える処理を省略することができる。また、ステップＳ４０により、既に第１のチャンネルスキャンでＡｍｐ設定でのＴＳ解析とチャンネル登録は行われている。よって、チャンネルスキャン結果としては、Ａｍｐ設定でのＴＳ解析で得られたチャンネル情報が放送受信装置２００に適用される。これにより、ステップＳ４２で「Ｙ」の場合には、放送受信装置２００は、ステップＳ４８でチャンネルスキャンを終了する。
【００９３】
これに対して、変数ｃｈ＿ａｍｐが変数ｃｈ＿ａｔｔ未満であれば（ステップＳ４２で「Ｎ」）、切り替え制御部１１は、信号増幅減衰部５の最適設定がＡＴＴ設定であると判断する。したがって、放送受信装置２００は、第１のチャンネルスキャンで登録された、登録チャンネル情報を破棄し、ステップＳ４３移行の処理を行う。
【００９４】
さて、ステップＳ４２の結果を受けて、ステップＳ４３において、信号増幅減衰部５は、最適設定と判断されたＡＴＴ設定に切り替えられる。その後、ステップＳ４４からの第２のチャンネルスキャンにより、ＡＴＴ設定でのＴＳ解析とチャンネル登録を行う。具体的に、ステップＳ４４において、法送受信装置２００は、スキャンをする放送チャンネルを設定する。そして、ステップＳ４５で、放送受信装置２００は、フレームロックができたか否かを判断する。
【００９５】
フレームロックしなければ（ステップＳ４５で「Ｎ」）、放送受信装置２００はステップＳ４７に進む。他方、フレームロックができれば（ステップＳ４５で「Ｙ」）、放送受信装置２００は、ステップＳ４６でＴＳ解析を行い、ＡＴＴ設定でのチャンネル登録を行ってから、ステップＳ４７に進む。
【００９６】
ステップＳ４７では、放送受信装置２００は、全放送チャンネルに対して第２のチャンネルスキャンがされたか否かを判断する。全放送チャンネルに対する第２のチャンネルスキャンが完了していなければ（ステップＳ４７で「Ｎ」）、放送受信装置２００は、ステップＳ４４に戻り、他の放送チャンネルに対してステップＳ４４移行の処理を再度行う。他方、全放送チャンネルに対する第２のチャンネルスキャンが完了していれば（ステップＳ４７で「Ｙ」）、放送受信装置２００は、ステップＳ４８によりチャンネルスキャンを終了する。
【００９７】
上記図８に示す処理では、信号増幅減衰部５の最適設定がＡＴＴ設定となる場合のみ、第２のチャンネルスキャンが行われ、Ａｍｐ設定が最適設定である場合は、第１のチャンネルスキャンのみで終了する利点がある。
【００９８】
なお、本実施の形態で説明した放送受信装置２００では、良好に受信できる放送チャンネル数が多くなるように、信号増幅減衰部５の設定（切り換え）が決定される。ところで、例えば、受信可能強電界チャンネルが、放送受信装置２００を設置している地域の放送局であり、他の放送チャンネルより優先度が高い場合もある。したがって、受信可能強電界チャンネルが１つでも存在した場合には、受信可能弱電界チャンネルの有無に関わらず、信号増幅減衰部５をＡＴＴ設定としても良い。当該場合には、図５のステップＳ１１および図８のステップＳ４２を、切り替え制御部１１が「変数ｃｈ＿ａｔｔ＞０」の判断を行う処理に変更すれば良い。これにより、受信可能強電界チャンネルが１以上存在するときに、信号増幅減衰部５はＡＴＴ設定となる。したがって、前記判断および信号増幅減衰部５の切り替えを行う放送受信装置２００は、受信可能強電界チャンネルを優先的に受信できる。
【００９９】
また、信号増幅減衰部５の構成として、図９に示す各バリエーションを採用することができる。図９に示す信号増幅部５の構成は、本実施の形態に係る放送受信装置のみならず、他の実施の形態に係る放送受信装置において適用できる。
【０１００】
図９の（１）に示す信号増幅減衰部５は、図１，４で示した信号増幅減衰部５の構成と同じである。図９の（２）に示す信号増幅減衰部５は、Ａｍｐ３と切り替えスイッチ２とで構成されており、受信信号をＡｍｐ３で増幅または直通させて、チューナ部に入力させる。図９の（３）に示す信号増幅減衰部５は、ＡＴＴ４と切り替えスイッチ２とで構成されており、受信信号をＡＴＴ４で減衰または直通させて、チューナ部に入力させる。
【０１０１】
図９の（１）に示す構成の変わりに、図９の（２）に示す構成を採用する場合には、「ＡＴＴ設定」を「受信信号の直通」と読み替えれば良い。また、図９の（１）に示す構成の変わりに、図９の（３）に示す構成を採用する場合には、「Ａｍｐ設定」を「受信信号の直通」と読み替えれば良い。
【０１０２】
＜実施の形態３＞
本実施の形態に係る放送受信装置では、アンテナで受信した放送信号を信号増幅減衰部に入力し、当該信号増幅減衰部の出力を１つのチューナ部に入力する構成に関する。つまり、実施の形態２で説明した「系統」が一つの場合の構成であり、ブロック構成は図１に示すものである。したがって、本実施の形態に係る放送受信装置は、図１を用いて説明する。これにより、本実施の形態に係る放送受信装置も、放送受信装置１００と記すこととする。
【０１０３】
また、本実施の形態に係る放送受信装置１００では、受信している放送チャンネルの電界強度範囲をＣ／Ｎ値から判別し、受信可能強電界チャンネル数を用いて、信号増幅減衰部をＡｍｐ設定またはＡＴＴ設定に切り替る。当該放送受信装置１００では、設置時にはじめに行われるチャンネルスキャンにおいて、受信可能な各放送チャンネルにおける最適な信号増幅減衰部の設定（Ａｍｐ設定、ＡＴＴ設定）を、最適設定値として記録しておく。そして、視聴チャンネルの切り替え時に、当該放送受信装置１００は、記録された当該最適設定値に従って、信号増幅減衰部の設定切り替えを行う。
【０１０４】
以下、本実施の形態に係る放送受信装置１００を、図１０のフローチャートを用いて具体的に説明する。
【０１０５】
図１０に示す処理では、図６で示した処理を流用する。そして、受信している放送チャンネルが受信可能強電界チャンネルであるときは、当該放送チャンネルをＡＴＴ設定のチャンネルとして記録する。他方、受信している放送チャンネルが受信可能強電界チャンネル以外の電界強度範囲のものであれば、当該放送チャンネルをＡｍｐ設定のチャンネルとして記録する。
【０１０６】
図１０において、まずステップＳ５０で、放送受信装置１００は、チャンネルスキャンを開始する。そして、放送受信装置１００は、ステップＳ５１において、実施の形態２で説明した変数ｃｈ＿ａｔｔを「０」に初期化する。その後、ステップＳ５２において、信号増幅減衰部５は、Ａｍｐ設定に切り替えられる。そして、ステップＳ５３では、当該Ａｍｐ設定の状態で、スキャンする放送チャンネルにチューナ部７を設定する。その後、放送受信装置１００は、ステップＳ５４で、当該設定された放送チャンネルがフレームロックできたか否かを判断する。
【０１０７】
フレームロックできなければ（ステップＳ５４で「Ｎ」）、次の放送チャンネルのスキャンのために、放送受信装置１００はステップＳ６５に進む。他方、フレームロックできれば（ステップＳ５４で「Ｙ」）、ステップＳ５５において、切り替え制御部１１は、Ａｍｐ設定のときのＣ／Ｎ値を取得し、当該取得したＣ／Ｎ値を、実施の形態２で説明した変数ｃｎ＿ａｍｐとして格納する。次に、ステップＳ５６において、信号増幅減衰部５はＡＴＴ設定に切り替えられる。その後、ステップＳ５７で、切り替え制御部１１は、ＡＴＴ設定のときのＣ／Ｎ値を取得し、当該取得したＣ／Ｎ値を実施の形態２で説明した変数ｃｎ＿ａｔｔとして格納する。
【０１０８】
ステップＳ５８では、切り替え制御部１１は、変数ｃｎ＿ａｍｐと変数ｃｎ＿ａｔｔとを用いて、図６に示した処理を行う。そして、ステップＳ５８では、受信している放送チャンネルが図２の電界強度範囲ｆで示される受信可能強電界チャンネルであると判断されれば、切り替え制御部１１は、変数ｃｈ＿ａｔｔに「１」を設定する。他方、ステップＳ５８では、受信している放送チャンネルが図２の電界強度範囲ｆ以外で示される電界強度範囲であると判断されれば、切り替え制御部１１は、変数ｃｈ＿ａｔｔを「０」のままとする。
【０１０９】
次に、ステップＳ５９において、切り替え制御部１１は、変数ｃｈ＿ａｔｔが「０」であるか否かを判断する。変数ｃｈ＿ａｔｔが「０」であれば（ステップＳ５９で「Ｙ」）、ステップＳ６０で、切り替え制御部１１は、現在選局中の放送チャンネルを、Ａｍｐ設定の放送チャンネルとして記録する。その後、ステップＳ６１で、切り替え制御部１１は、信号増幅減衰部５の設定をＡｍｐ設定に切り替える。これに対して、変数ｃｈ＿ａｔｔが「１」であれば（ステップＳ５９で「Ｎ」）、ステップＳ６２で、切り替え制御部１１は、現在選局中の放送チャンネルを、ＡＴＴ設定の放送チャンネルとして記録する。その後、ステップＳ６３で、切り替え制御部１１は、信号増幅減衰部５の設定をＡＴＴ設定に切り替える。
【０１１０】
ステップＳ６１またはステップＳ６３の動作後、ステップＳ６４において、放送受信装置１００は、ＴＳ解析とチャンネル登録を行う。その後は、ステップＳ６５で、放送受信装置１００は、全放送チャンネルのチャンネルスキャンが完了したか否かを判断する。全放送チャンネルのチャンネルスキャンが完了していなければ（ステップＳ６５で「Ｎ」）、他の放送チャンネルに対するチャンネルスキャン継続のため、放送受信装置１００は、ステップＳ５１に戻る。他方、全放送チャンネルのチャンネルスキャンが完了していれば（ステップＳ６５で「Ｙ」）、ステップＳ６６で、放送受信装置１００はチャンネルスキャンを終了する。
【０１１１】
図１０の処理により、受信可能な放送チャンネルそれぞれについて、信号増幅減衰部５の最適な設定の記録・切り替えを行うことができる。なお、全ての放送チャンネルに対して、ステップＳ６１またはステップＳ６３で説明した記録処理が行われた結果、図１１に示す表を切り替え制御部１１は得る。当該図１１に示す表では、各放送チャンネルと、当該放送チャンネルに対して最適な設定値として記録された信号増幅減衰部５の各設定値情報（状態情報と把握できる）とから、構成される。
【０１１２】
たとえば、図１１に示す例では、放送チャンネル「１８」に対応して、信号増幅減衰部５の設定として「Ａｍｐ設定」が記録されている。放送チャンネル「２０」に対応して、信号増幅減衰部５の設定として「ＡＴＴ設定」が記録されている。さらに、放送チャンネル「３４」に対応して、信号増幅減衰部５の設定として「ＡＴＴ設定」が記録されている。
【０１１３】
次に、図１２に示すフローチャートを用いて、視聴チャンネルの切り替え（チャンネル選局処理と把握できる）時における放送受信装置１００の動作について説明する。
【０１１４】
これから視聴する放送チャンネルへのチャンネル切り替え操作が、放送受信装置１００に対して実施される。すると、ステップＳ７０で、放送受信装置１００は、チャンネル切り替え動作を開始する。その後、ステップＳ７１で、切り替え制御部１１は、図１１に例示した表を参照し、これから視聴する放送チャンネルに対応して記録されている設定値を、当該表から読み出す。そして、切り替え制御部１１は、ステップＳ７１で読み出した設定値が、「ＡＴＴ設定」であるか否かを判断する（ステップＳ７２）。
【０１１５】
ステップＳ７１で読み出した設定値が「ＡＴＴ設定」であれば（ステップＳ７２で「Ｙ」）、ステップＳ７４において、切り替え制御部１１は、信号増幅減衰部５をＡＴＴ設定に切り替える。他方、ステップＳ７１で読み出した設定値が「Ａｍｐ設定」であれば（ステップＳ７２で「Ｎ」）、ステップＳ７３において、切り替え制御部１１は、信号増幅減衰部５をＡｍｐ設定に切り替える。
【０１１６】
そして、放送受信装置１００は、ステップＳ７５で、これから視聴しようとする放送チャンネルを、チューナ部７に設定する。これにより、チャンネル切り替えが実行され、ステップＳ７６で放送受信装置１００におけるチャンネル切り替え処理が終了する。
【０１１７】
以上のように、本実施の形態に係る放送受信装置１００では、チャンネルスキャンなどで得られた、各放送チャンネルに対する信号増幅減衰部５の最適設定値を記録する。そして、当該放送受信装置１００は、当該記録された情報に従って、信号増幅減衰部５の設定切り替えを行う。これにより、チャンネル切り替え時に、放送チャンネルの受信状態の判定処理などを行わなくても、放送受信装置１００は、受信している放送チャンネルに対して信号増幅減衰部５を適切な状態に設定できる。
【０１１８】
＜実施の形態４＞
本実施の形態に係る放送受信装置は、信号増幅減衰部、チューナ部、Ａ／Ｄ変換部、復調部および復号部が、当該順に直列に接続された系統が、複数設けられている。そして、当該放送受信装置では、当該複数の系統が並列に配設されている。そして、切り替え制御部は、各系統毎に、電界強度範囲の判別および信号増幅減衰部の切り替えを行う。
【０１１９】
図１３は、本実施の形態に係る放送受信装置３００の構成を示すブロック図である。ここで、図１３の例では、上記系統が２系統の場合を図示しているが、３つ以上の系統の場合であっても良い。なお、各系統における各ブロックの動作は、上記各実施の形態で説明した構成における同じ名称の各ブロックと同じである。
【０１２０】
図１３に示すように、本実施の形態に係る放送受信装置３００では、アンテナ１からの放送信号を、スプリッタ６で、系統の数だけ分岐させている。そして、スプリッタ６で分岐された放送信号は各々、各系統に属する信号増幅減衰部５ａ，５ｂに並列に入力する。本実施の形態に係る放送受信装置３００では、各系統におけるチューナ部７ａ，７ｂ毎に、固有の信号増幅減衰部５ａ，５ｂを有している。したがって、放送受信装置３００では、各チューナ７ａ，７ｂに対して、信号増幅減衰部５ａ，５ｂを個別に、Ａｍｐ設定またはＡＴＴ設定に切り替え制御できる。
【０１２１】
各信号増幅減衰部５ａ，５ｂでは、切り替えスイッチ２ａ，２ｂの状態により、受信した信号を、Ａｍｐ３ａで増幅またはＡＴＴ４ａで減衰し、チューナ７ａ，７ｂに向けて出力する。チューナ部７ａ，７ｂから出力される信号は、各系統毎に、Ａ／Ｄ変換部８ａ，８ｂ、復調部９ａ，９ｂ、復号部１０ａ，１０ｂと伝達し、音声や映像信号等になる。また、各復調部９ａ，９ｂで検出されたＣ／Ｎ値は各々、一つの切り替え制御部１１に入力される。
【０１２２】
当該切り替え制御部１１は、各系統毎に、信号増幅減衰部５ａ，５ｂの設定状態と取得したＣ／Ｎ値とを用いて、各系統毎に、受信している放送チャンネルの電界強度範囲を判別する。そして、切り替え制御部１１は、当該判別の結果に基づいて、各信号増幅減衰部５ａ，５ｂの設定切り換えを制御する。当該各系統毎における、上記判別動作および切り替え動作は、他の実施の形態で説明した動作と同様である。
【０１２３】
たとえば、切り替え手段１１は、受信している放送チャンネルが受信可能強電界チャンネルと判断したときは、切り替えスイッチ２ａ，２ｂを制御して信号増幅減衰部５ａ，５ｂをＡＴＴ設定とし、それ以外の電界強度範囲でると判断した時には、切り替えスイッチ２ａ，２ｂを制御して信号増幅減衰部５ａ，５ｂをＡｍｐ設定とする。
【０１２４】
また、例えば、各系統の信号増幅減衰部５ａ，５ｂとチューナ部７ａ，７ｂとを用いて、チャンネルスキャンのときに受信している放送チャンネルの信号増幅減衰部５ａ，５ｂの最適設定値を求めるためには、実施の形態３と同様に、図１０の処理手順を実施すれば良い。視聴チャンネル切り替え時に、放送チャンネルが良好に受信できるように信号増幅減衰部５ａ，５ｂの切り替えを行う方法についても、実施の形態３と同様に、図１２の処理を各系統毎に実施することで、放送チャンネルを最適な信号増幅減衰部５ａ，５ｂの設定で視聴することができる。
【０１２５】
また、本実施の形態に係る放送受信装置３００では、上記構成・動作を行うので、各チューナ部７ａ，７ｂについて、それぞれ個別に信号増幅減衰部５ａ，５ｂを設定することができる。よって、受信可能弱電界チャンネルと受信可能強電界チャンネルとの同時受信を、当該放送受信装置３００は可能となる。例えば、一方系統の信号増幅減衰部５ａをＡｍｐ設定として受信可能弱電界チャンネルを受信し、他方系統の信号増幅減衰部５ｂをＡＴＴ設定として受信可能強電界チャンネルを受信することで、放送受信装置３００は上記同時受信も可能となる。
【０１２６】
なお、図１０に示す、各放送チャンネルに対する信号増幅減衰部５ａ，５ｂの最適設定を判別するチャンネルスキャンにおいて、いずれか一方の系統単独で行うこともできるが、スキャンの対象チャンネルを各系統に割り振り、各系統それぞれ平行動作させてチャンネルスキャンを行ってもよい。
【０１２７】
また、一方系統の信号増幅減衰部５ａをＡｍｐ設定とし、他方系統の信号増幅減衰部５ｂをＡＴＴ設定として同一放送チャンネルを受信させ、当該放送チャンネルについて、Ａｍｐ設定でのＣ／Ｎ値およびＡＴＴ設定でのＣ／Ｎ値を同時に取得させても良い。これにより、所定の放送チャンネルについて、Ａｍｐ設定でのＣ／Ｎ値およびＡＴＴ設定でのＣ／Ｎ値を同時に取得することが可能となるので、チャンネルスキャン時間を短縮させることができる。
【０１２８】
本実施の形態による放送受信装置３００を採用することにより、例えば送信所近隣で強電界の放送信号を受信するときや、外付けのブースタによって放送信号を過度に増幅して放送受信装置３００に入力する場合などにおいても、当該放送信号を良好に受信できる。これと共に、当該放送受信装置３００では、弱電界の放送信号を受信する場合においても、当該放送信号を良好に受信することができる。このように、複数のチューナ部７ａ，７ｂを有する放送受信装置３００では、それぞれのチューナ部７ａ，７ｂを用いて、弱電界範囲の放送信号と強電界範囲の放送信号とを同時に良好に受信できる。
【０１２９】
＜他の実施の形態＞
実施の形態３では、各チャンネルに対する信号増幅減衰部５の設定値が固定されている。これは、実施の形態３では、放送受信装置１００が固定設置されることを想定しているからである。したがって、例えば、放送受信装置が移動体であって、放送チャンネルの電界強度が変動する場合には、信号増幅減衰部５の設定における受信電界強度範囲を外れる可能性がある。そこで、放送受信装置が移動体等である場合における、視聴チャンネルの切り替え時の、受信状態の判定処理および信号増幅減衰部の設定処理（切り換え処理）を、図１４に示すフローチャートを用いて説明する。
【０１３０】
なお、図１４のフローチャートの実施は、実施の形態３で説明したブロック構成を有する放送受信装置１００において実施される。
【０１３１】
図１４において、まずステップＳ８０で、放送受信装置１００は、チャンネル切り替えを開始する。そして、放送受信装置１００は、ステップＳ８１において、実施の形態２で説明した変数ｃｈ＿ａｔｔを「０」に初期化する。その後、ステップＳ８２において、信号増幅減衰部５は、Ａｍｐ設定に切り替えられる。そして、ステップＳ８３では、当該Ａｍｐ設定の状態で、切り替える放送チャンネルにチューナ部７を設定する。その後、放送受信装置１００は、ステップＳ８４で、当該設定された放送チャンネルがフレームロックできたか否かを判断する。
【０１３２】
フレームロックできなければ（ステップＳ８４で「Ｎ」）、放送受信装置１００はステップＳ９３に進み、図１４に示す一連の処理を終了する。他方、フレームロックできれば（ステップＳ８４で「Ｙ」）、ステップＳ８５において、切り替え制御部１１は、Ａｍｐ設定のときのＣ／Ｎ値を取得し、当該取得したＣ／Ｎ値を、実施の形態２で説明した変数ｃｎ＿ａｍｐとして格納する。次に、ステップＳ８６において、信号増幅減衰部５はＡＴＴ設定に切り替えられる。その後、ステップＳ８７で、切り替え制御部１１は、ＡＴＴ設定のときのＣ／Ｎ値を取得し、当該取得したＣ／Ｎ値を実施の形態２で説明した変数ｃｎ＿ａｔｔとして格納する。
【０１３３】
ステップＳ８８では、切り替え制御部１１は、変数ｃｎ＿ａｍｐと変数ｃｎ＿ａｔｔとを用いて、図６に示した処理を行う。そして、ステップＳ８８では、受信している放送チャンネルが図２の電界強度範囲ｆで示される受信可能強電界チャンネルであると判断されれば、切り替え制御部１１は、変数ｃｈ＿ａｔｔに「１」を設定する。他方、ステップＳ８８では、受信している放送チャンネルが図２の電界強度範囲ｆ以外で示される電界強度範囲であると判断されれば、切り替え制御部１１は、変数ｃｈ＿ａｔｔを「０」のままとする。
【０１３４】
次に、ステップＳ８９において、切り替え制御部１１は、変数ｃｈ＿ａｔｔが「０」であるか否かを判断する。変数ｃｈ＿ａｔｔが「０」であれば（ステップＳ８９で「Ｙ」）、ステップＳ９０で、切り替え制御部１１は、信号増幅減衰部５の設定をＡｍｐ設定に切り替える。これに対して、変数ｃｈ＿ａｔｔが「１」であれば（ステップＳ８９で「Ｎ」）、ステップＳ９１で、切り替え制御部１１は、信号増幅減衰部５の設定をＡＴＴ設定に切り替える。
【０１３５】
ステップＳ９０またはステップＳ９１の動作後、ステップＳ９２において、放送受信装置１００は、ＴＳ解析とチャンネル登録を行う。その後は、ステップＳ９３で、放送受信装置１００は、チャンネル切り替え処理を終了する。
【０１３６】
以上の図１４に示す処理により、放送受信装置１００において、チャンネル切り替え毎に、放送チャンネルの電界強度範囲の判定と、最適な信号増幅減衰部５の設定とを行うことができる。これにより、放送受信装置１００が移動等することにより、放送チャンネルの受信状態が変化する場合でも、当該放送受信装置１００は、良好に放送信号を受信できる。
【０１３７】
なお、上記図１４の処理からステップＳ８１およびステップＳ８８を省略し、ステップＳ８９の分岐条件を「ｃｎ＿ａｍｐ≧ｃｎ＿ａｔｔ」に変更しても良い。当該処理のフローチャートを図１５に示す。
【０１３８】
当該図１５の処理では、図６で説明した放送チャンネルの受信状態の判定処理を使用せず、Ａｍｐ設定またはＡＴＴ設定においてＣ／Ｎ値の高い方の設定を、信号増幅減衰部５の設定とする。
【０１３９】
図１５において、まずステップＳ１００で、放送受信装置１００は、チャンネル切り替えを開始する。そして、放送受信装置１００は、ステップＳ１０１において、信号増幅減衰部５は、Ａｍｐ設定に切り替えられる。そして、ステップＳ１０２では、当該Ａｍｐ設定の状態で、切り替える放送チャンネルにチューナ部７を設定する。その後、放送受信装置１００は、ステップＳ１０３で、当該設定された放送チャンネルがフレームロックできたか否かを判断する。
【０１４０】
フレームロックできなければ（ステップＳ１０３で「Ｎ」）、放送受信装置１００はステップＳ１１１に進み、図１５に示す一連の処理を終了する。他方、フレームロックできれば（ステップＳ１０３で「Ｙ」）、ステップＳ１０４において、切り替え制御部１１は、Ａｍｐ設定のときのＣ／Ｎ値を取得し、当該取得したＣ／Ｎ値を、実施の形態２で説明した変数ｃｎ＿ａｍｐとして格納する。次に、ステップＳ１０５において、信号増幅減衰部５はＡＴＴ設定に切り替えられる。その後、ステップＳ１０６で、切り替え制御部１１は、ＡＴＴ設定のときのＣ／Ｎ値を取得し、当該取得したＣ／Ｎ値を実施の形態２で説明した変数ｃｎ＿ａｔｔとして格納する。
【０１４１】
次に、ステップＳ１０７では、変数ｃｎ＿ａｍｐが変数ｃｎ＿ａｔｔ以上であるか否かを、切り替え制御部１１は判断する。変数ｃｎ＿ａｔｔが変数ｃｎ＿ａｍｐより大きければ（ステップＳ１０７で「Ｎ」）、ＡＴＴ設定である方がＣ／Ｎ値が高く、より良好に受信できる可能性が高い。したがって、ステップＳ１０９で、切り替え制御部１１は、信号増幅減衰部５をＡＴＴ設定に切り替える。他方、変数ｃｎ＿ａｍｐが変数ｃｎ＿ａｔｔ以上である場合には（ステップＳ１０７で「Ｙ」）、Ａｍｐ設定である方がＣ／Ｎ値が高く、より良好に受信できる可能性が高い。したがって、ステップＳ１０８で、切り替え制御部１１は、信号増幅減衰部５をＡｍｐ設定に切り替える。
【０１４２】
ステップＳ１０８またはステップＳ１０９の動作後、ステップＳ１１０において、放送受信装置１００は、ＴＳ解析とチャンネル登録を行う。その後は、ステップＳ１１１で、放送受信装置１００は、チャンネル切り替え処理を終了する。
【０１４３】
このように、図１５の処理を採用することにより、信号増幅減衰部５の設定をＣ／Ｎ値が高い方に設定でき、放送受信装置１００は、良好に放送信号を受信できる可能性が高くなる。ただし、この場合、各放送チャンネル間で最適な信号増幅減衰部５の設定が異なる可能性が高くなり、視聴チャンネル切り替えの度に、信号増幅減衰部５の切り替えが発生する可能性が高くなる。
【符号の説明】
【０１４４】
１  アンテナ、２，２ａ，２ｂ  切り替えスイッチ、３，３ａ，３ｂ  Ａｍｐ、４，４ａ，４ｂ  ＡＴＴ、５  信号増幅減衰部、６  スプリッタ、７，７ａ，７ｂ  チューナ、８，８ａ，８ｂ  Ａ／Ｄ変換部、９，９ａ，９ｂ  復調部、１０，１０ａ，１０ｂ  復号部、１１  切り替え制御部、１００，２００，３００  放送受信装置。
【図１】
0005554146.tif 000002
【図２】
0005554146.tif 000003
【図３】
0005554146.tif 000004
【図４】
0005554146.tif 000005
【図５】
0005554146.tif 000006
【図６】
0005554146.tif 000007
【図７】
0005554146.tif 000008
【図８】
0005554146.tif 000009
【図９】
0005554146.tif 000010
【図１０】
0005554146.tif 000011
【図１１】
0005554146.tif 000012
【図１２】
0005554146.tif 000013
【図１３】
0005554146.tif 000014
【図１４】
0005554146.tif 000015
【図１５】
0005554146.tif 000016